(57)【要約】【課題】スラットを予め決められた回転角度に停止させることができると共にスラットが所定回転角度以上回転することを阻止することができるブラインドとする。【解決手段】ヘッドボックス内で回転可能に軸支された回転軸１４と共に一体回転可能となっており、係合部３６ｂと、円周方向に直交する当接面３６ｃとを有する回転体３６と、回転不能に配設されて、係合部３６ｂと係合可能な被係合部３８ａ、４０ａと、当接面３６ｃが当接可能となった被当接面３８ａ、４０ａとを有する第１受体３８及び第２受体４０と、を備える。係合部３６ａと被係合部３８ａ、４０ａとが係合することによって、予め決められたスラットの回転角度で操作棒２４にクリック感を伝達することができ、当接面３６ｃが被当接面３８ｃ、４０ｃに当接することによって、スラットの所定回転角度以上の回転を規制する。【選択図】図６
2008297719.tif 000002
【特許請求の範囲】
【請求項１】
ヘッドボックス（１２）と、ヘッドボックス（１２）内で回転可能に軸支された回転軸（１４）と、回転軸（１４）に連結されるラダーコード（１８）によって支持されて該回転軸の回転に連動して回転動作を行うスラット（２０）と、前記回転軸（１４）を回転駆動する操作部（２４）と、を備えたブラインドにおいて、
回転軸（１４）と共に一体回転可能となっており、係合部（３６ｂ）と、円周方向に直交する当接面（３６ｃ）とを有する回転体（３６）と、
回転不能に配設されて、前記係合部（３６ｂ）と係合可能な被係合部（３８ａ、４０ａ、５０ａ）と、前記当接面（３６ｃ）が当接可能な被当接面（３８ｃ、４０ｃ、５０ｃ）とを有する非回転体（３８、４０、５０）と、
を備え、前記係合部（３６ｂ）と前記被係合部（３８ａ、４０ａ、５０ａ）とが係合することによって、予め決められたスラットの回転角度で前記操作部（２４）にクリック感を伝達することができ、前記当接面（３６ｃ）が前記被当接面（３８ｃ、４０ｃ、５０ｃ）に当接することによって、スラットの所定回転角度以上の回転を規制することを特徴とするブラインド。
【請求項２】
前記非回転体（３８、４０）は、１個以上の前記被係合部（３８ａ、４０ａ）を有し、その少なくとも一部の被係合部（３８ａ）の位置は、回転軸（１４）の軸周りに位置調整可能であることを特徴とする請求項１記載のブラインド。
【請求項３】
前記回転体（３６）の前記当接面（３６ｃ）は、円周方向に離間した一対の当接面であり、前記非回転体は、一方の当接面に当接可能となった被当接面を有する第１受体（３８）と、他方の当接面に当接可能となった第２受体（４０）とからなり、第１受体（３８）と第２受体（４０）とは相対位置が調整可能となっており、これにより第１受体（３８）の被当接面（３８ｃ）と第２受体（４０）の被当接面（４０ｃ）の円周方向の距離が調整可能であることを特徴とする請求項１または２記載のブラインド。
【請求項４】
ヘッドボックス（１２）と、ヘッドボックス（１２）内で回転可能に軸支された回転軸（１４）と、回転軸（１４）に連結されるラダーコード（１８）によって支持されて該回転軸の回転に連動して回転動作を行うスラット（２０）と、前記回転軸（１４）を回転駆動する操作部（２４）と、を備えたブラインドにおいて、
回転軸（１４）と共に一体回転可能となっており、係合部（３６ｂ）を有する回転体（３６）と、
回転不能に配設されて、前記係合部（３６ｂ）と係合可能な被係合部（３８ａ、４０ａ）を有する非回転体（３８、４０）と、
を備え、前記係合部（３６ｂ）と前記被係合部（３８ａ、４０ａ）とが係合することによって、予め決められたスラットの回転角度で前記操作部（２４）にクリック感を伝達することができ、前記被係合部（３８ａ、４０ａ）は位置調整可能に設けられることを特徴とするブラインド。
【請求項５】
前記回転体（３６）と非回転体（３８、４０）とは、弾性体（４２）によって常時両者が接近する方向に付勢されており、係合部（３６ｂ）と被係合部（３８ａ、４０ａ）との係合が解除されたときに、弾性体（４２）の付勢力に逆らって両者が離反することを特徴とする請求項１ないし４のいずれか１項に記載のブラインド。
【請求項６】
前記回転体（３６）の係合部（３６ｂ）及び非回転体（３８、４０）の被係合部（３８ａ、４０ａ）は、回転軸（１４）の軸方向に直交して互いに対向する面に形成されることを特徴とする請求項１ないし５のいずれか１項に記載のブラインド。
【請求項７】
ヘッドボックス（１２）と、ヘッドボックス（１２）内で回転可能に軸支された回転軸（１４）と、回転軸（１４）に連結されるラダーコード（１８）によって支持されて該回転軸の回転に連動して回転動作を行うスラット（２０）と、前記回転軸（１４）を回転駆動する操作部（２４）と、を備えたブラインドにおいて、
回転軸（１４）と共に一体回転可能となっており、一対の円周方向に離間した当接面（３６ｃ、３６ｃ）を有する回転体（３６）と、
回転不能に配設されて、前記一対の当接面（３６ｃ、３６ｃ）にそれぞれ当接可能な一対の被当接面（３８ｃ、４０ｃ）を有する非回転体（３８、４０）と、
を備え、前記当接面（３６ｃ、３６ｃ）と前記被当接面（３８ｃ、４０ｃ）とが当接することによって、スラット（２０）の所定回転角度以上の回転を規制することができ、前記一対の被当接面（３８ｃ、４０ｃ）の円周方向の距離は調整可能に設けられることを特徴とするブラインド。
【発明の詳細な説明】
【技術分野】
【０００１】
本発明は、スラットを回転させることができるブラインドにおいて、スラットを停止させる回転角度またはスラットの回転範囲を制御することができるブラインドに関する。
【背景技術】
【０００２】
従来、スラットを予め決められた回転角度に停止することが可能なブラインドとしては、特許文献１に記載されたものが知られている。該特許文献１に記載されたブラインドは、上梁溝内に回転自在に配設された回転軸と、回転軸に配設されて外周面円周方向に複数個の溝が形成された動き止めブロックと、この動き止めブロックの両側に位置する一対のベースと、基端部が一対のベースに軸支され、基端部から離れた位置に前記溝に係合するロック爪が設けられたロック部材と、ロック部材を閉方向に付勢するばねとを備えている。そして、一対のロック部材のロック爪を動き止めブロックの溝に係合させて動き止めブロックを挟持してその回転を阻止することができ、これによって、スラットの回転角度の調整後に回転軸のギヤのバックラッシュによって回転軸が回転しないようにロックして、スラットの角度を設定保持することができるようになっている。
【０００３】
【特許文献１】実開平５−３５９９６号公報
【発明の開示】
【発明が解決しようとする課題】
【０００４】
しかしながら、特許文献１の構成では、ロック爪と溝との係合であるために、スラットの回転を完全に阻止することはできないために、回転軸を必要以上に回転させた場合でも、動き止めブロックを回転させることはでき、そのために、スラットやスラットを支持する紐に負荷がかかり故障の原因になる可能性がある。
【０００５】
また、特許文献１の構成では、動き止めブロックの外周面に多数の溝が連続的に形成されているために、その多数の溝の中からスラットを予め決められた回転角度に停止させることは困難である。
【０００６】
本発明はかかる課題に鑑みなされたもので、第１の目的は、スラットを予め決められた回転角度に停止させることができると共にスラットが所定回転角度以上回転することを阻止することができるブラインドを提供することである。
【０００７】
本発明の第２の目的は、スラットを予め決められた回転角度に停止させることができると共にその回転角度を調整することができるブラインドを提供することである。
【０００８】
本発明の第３の目的は、スラットが許容の回転角度範囲を超えて回転することを阻止することができると共に、その回転角度範囲を調整することができるブラインドを提供することである。
【課題を解決するための手段】
【０００９】
前述した目的を達成するために、請求項１記載の発明は、ヘッドボックスと、ヘッドボックス内で回転可能に軸支された回転軸と、回転軸に連結されるラダーコードによって支持されて該回転軸の回転に連動して回転動作を行うスラットと、前記回転軸を回転駆動する操作部と、を備えたブラインドにおいて、
回転軸と共に一体回転可能となっており、係合部と、円周方向に直交する当接面とを有する回転体と、
回転不能に配設されて、前記係合部と係合可能な被係合部と、前記当接面が当接可能な被当接面とを有する非回転体と、
を備え、前記係合部と前記被係合部とが係合することによって、予め決められたスラットの回転角度で前記操作部にクリック感を伝達することができ、前記当接面が前記被当接面に当接することによって、スラットの所定回転角度以上の回転を規制することを特徴とする。
【００１０】
請求項２記載の発明は、請求項１記載の前記非回転体が、１個以上の前記被係合部を有し、その少なくとも一部の被係合部の位置は、回転軸の軸周りに位置調整可能であることを特徴とする。
【００１１】
請求項３記載の発明は、請求項１または２記載の前記回転体の前記当接面が、円周方向に離間した一対の当接面であり、前記非回転体は、一方の当接面に当接可能となった被当接面を有する第１受体と、他方の当接面に当接可能となった第２受体とからなり、第１受体と第２受体とは相対位置が調整可能となっており、これにより第１受体の被当接面と第２受体の被当接面の円周方向の距離が調整可能であることを特徴とする。
【００１２】
請求項４記載の発明は、ヘッドボックスと、ヘッドボックス内で回転可能に軸支された回転軸と、回転軸に連結されるラダーコードによって支持されて該回転軸の回転に連動して回転動作を行うスラットと、前記回転軸を回転駆動する操作部と、を備えたブラインドにおいて、
回転軸と共に一体回転可能となっており、係合部を有する回転体と、
回転不能に配設されて、前記係合部と係合可能な被係合部を有する非回転体と、
を備え、前記係合部と前記被係合部とが係合することによって、予め決められたスラットの回転角度で前記操作部にクリック感を伝達することができ、前記被係合部は位置調整可能に設けられることを特徴とする。
【００１３】
請求項５記載の発明は、請求項１ないし４のいずれか１項に記載の前記回転体と非回転体とが、弾性体によって常時両者が接近する方向に付勢されており、係合部と被係合部との係合が解除されたときに、弾性体の付勢力に逆らって両者が離反することを特徴とする。
【００１４】
請求項６記載の発明は、請求項１ないし５のいずれか１項に記載の前記回転体の係合部及び非回転体の被係合部が、回転軸の軸方向に直交して互いに対向する面に形成されることを特徴とする。
【００１５】
請求項７記載の発明は、ヘッドボックスと、ヘッドボックス内で回転可能に軸支された回転軸と、回転軸に連結されるラダーコードによって支持されて該回転軸の回転に連動して回転動作を行うスラットと、前記回転軸を回転駆動する操作部と、を備えたブラインドにおいて、
回転軸と共に一体回転可能となっており、一対の円周方向に離間した当接面を有する回転体と、
回転不能に配設されて、前記一対の当接面にそれぞれ当接可能な一対の被当接面を有する非回転体と、
を備え、前記当接面と前記被当接面とが当接することによって、スラットの所定回転角度以上の回転を規制することができ、前記一対の被当接面の円周方向の距離は調整可能に設けられることを特徴とする。
【発明の効果】
【００１６】
請求項１記載の発明によれば、係合部と被係合部とが係合することによって、操作部にクリック感を伝達することができるので、クリック感に基づき操作部を操作する操作者は操作を停止することができ、予め決められた回転角度でスラットを停止させることができる。
【００１７】
また、当接面と被当接面とが当接することによって、スラットの所定回転角度以上の回転を規制することができ、スラットやスラットを支持するラダーコード等に過度な負荷がかかることを防止することができる。
【００１８】
回転体に係合部と当接面、非回転体に被係合部と被当接面がそれぞれ設けられているために、スラットを停止させたい回転角度と回転を規制したい回転角度との間の位置関係をズレなく設定することができる。
【００１９】
請求項２記載の発明によれば、被係合部の位置を調整することで、スラットを停止させたい回転角度を任意に調整することができるようになる。
【００２０】
請求項３記載の発明によれば、第１受体の被当接面と第２受体の被当接面の円周方向の距離を調整することで、スラットの規制したい回転範囲を任意に調整することができるようになる。
【００２１】
請求項４記載の発明によれば、係合部と被係合部とが係合することによって、操作部にクリック感を伝達することができるので、クリック感に基づき操作部を操作する操作者は操作を停止することができ、予め決められた回転角度でスラットを停止させることができる。被係合部の位置を調整することで、スラットを停止させたい回転角度を任意に調整することができるようになる。
【００２２】
請求項５記載の発明によれば、弾性体によって回転体と非回転体とを接近する方向に付勢することで、両者の係合を確実なものとし、操作部に明確なクリック感を伝達することができる。
【００２３】
請求項６記載の発明によれば、回転体の係合部と非回転体の被係合部との係合及び係合解除は、回転軸の軸方向の移動を利用して行うために、ブラインドのヘッドボックスの長手方向を利用することができ、ブラインドの大型化を招来することなく、小型化を図ることができる。
【００２４】
請求項７記載の発明によれば、当接面と被当接面とが当接することによって、スラットの所定回転角度以上の回転を規制することができ、スラットやスラットを支持するラダーコード等に過度な負荷がかかることを防止することができる。一対の被当接面の円周方向の距離を調整することで、スラットの規制したい回転範囲を任意に調整することができるようになる。
【発明を実施するための最良の形態】
【００２５】
以下、図面を用いて本発明の実施の形態を説明する。
図１は本発明の実施形態によるブラインドの全体正面図である。
【００２６】
図において、１０はブラインドであり、ブラインド１０は取付固定面にブラケットによって固定されるヘッドボックス１２を有している。ヘッドボックス１２内には、回転軸１４が回転可能に軸支され、回転軸１４にはその軸方向に離間して複数の回転ドラム１６が一体回転可能に設けられる。回転ドラム１６にはラダーコード１８の上端が連結され、ラダーコード１８はヘッドボックス１２から垂下されて、多数のスラット２０を上下方向に整列状態で支持している。
【００２７】
回転軸１４の一端は、ギヤを内蔵するチルター２２に連結されており、チルター２２は操作部を構成する操作棒２４に連結される。操作棒２４を自転させるように操作することによって、チルター２２を介して回転軸１４に回転が発生し、そして、回転軸１４の回転によってラダーコード１８が傾動して、スラット２０が回転するようになっている。
【００２８】
また、ヘッドボックス１２からは昇降コード２８が垂下される。昇降コード２８は、各スラット２０を貫通して、昇降コード２８の一端は、スラット２０の下方に配設されるボトムレール２５に取り付けられる。昇降コード２８の他端は、ヘッドボックス１２を導入後、ヘッドボックス１２内を長手方向に伸びてヘッドボックス１２内に固定されたストッパ２７を挿通し、ヘッドボックス１２の一端から導出されて昇降用操作部を構成している。
【００２９】
また、ブラインド１０の両側においては、スラット２０を貫通してスラット２０の位置を規制するガイドワイヤ２９がヘッドボックス１２と固定面との間に張設される。
【００３０】
ヘッドボックス１２内には、スラット２０の回転を制御するためのスラット回転制御機構３０が設けられる。スラット回転制御機構３０は、図２及び図３に示すように、ヘッドボックス１２内でヘッドボックス１２に固定されるケース３２と、ケース３２に回転可能に且つ軸方向移動不能に軸支されて回転軸１４の非円形外周面に嵌合して回転軸１４と一体回転を行う第２回転軸３４と、第２回転軸３４の非円形外周面に嵌合して第２回転軸３４に対して回転不能に且つ軸方向に移動可能となった回転体３６と、回転軸１４の軸方向に沿って回転体３６に並びケース３２に固定される第１受体３８及び第２受体４０と、第２回転軸３４の外側に巻回された弾性体としてのバネ４２と、を備えている。
【００３１】
第２回転軸３４を介して回転軸１４と一体回転可能となった回転体３６には、円周方向の外周部分から径方向に突出した突出部３６ａが形成される。突出部３６ａの中心角は略９０度となっている。回転軸１４の軸方向に直交する突出部３６ａの端面には、三角形状の断面の凹部となった係合部３６ｂと切欠部３６ｄが形成される。係合部３６ｂの個数は任意であるが、この例では２個となっており、円周方向に離間して形成される。また、円周方向に直交する突出部３６ａの両端面は、それぞれ当接面３６ｃとなっている。
【００３２】
それぞれケース３２に固定された第１受体３８及び第２受体４０は非回転体を構成して、共に軸方向に沿って回転体３６に対向している。そして、第１受体３８及び第２受体４０のそれぞれ軸方向に直交する端面には、三角形状の断面の凸部となり前記回転体３６の係合部３６ｂと係合可能となった被係合部３８ａ、４０ａが形成されている。この例では、被係合部の個数は合わせて２個となっているが、適宜数を設定することが可能である。また、第１受体３８及び第２受体４０には、回転体３６の外周側へと延びる突出部３８ｂ、４０ｂが形成されており、各突出部３８ｂ、４０ｂには、回転体３６の当接面３６ｃに当接可能な被当接面３８ｃ、４０ｃがそれぞれ形成されている。
【００３３】
バネ４２は、第２回転軸３４の一端に形成された鍔３４ａと回転体３６の端面との間に介挿されており、回転体３６を常時、第１受体３８及び第２受体４０の方へと付勢して回転体３６と非回転体が互いに接近するように付勢している。
【００３４】
以上の係合部３６ｂ、被係合部３８ａ、４０ａ、当接面３６ｃ、被当接面３８ｃ、４０ｃのそれぞれの位置関係をブラインドの作用と共に説明する。
【００３５】
今、このブラインド１０では、図７に示すように、スラット２０の許容の回転範囲を水平状態（図７（ａ)）からスラット２０が奥側（即ち図７の時計回り）に回転して全閉状態である略垂直状態（図７（ｃ））になるまでの約９０度とし、その回転範囲の途中の４５度の位置（図７（ｂ））でスラット２０を停止させることができるようにする。そのために、スラット２０が水平状態において、回転体３６と第１受体３８及び第２受体４０との関係は、図４（ａ）、図５（ａ）及び図６（ａ）に示すように、回転体３６の一方の当接面３６ｃが第１受体３８の被当接面３８ｃに当接している関係になる。また、回転体３６の一方の係合部３６ｂが第１受体３８の被係合部３８ａに係合している。よって、それ以上手前側（即ち、図７の反時計回り）にスラット２０を回転させようとして、操作棒２４を操作して回転軸１４を回転させようとしても、回転軸１４と一体回転する回転体３６の一方方向への回転が阻止されているので、スラット２０はそれ以上に回転することはない。
【００３６】
スラット２０を奥側に回転させようとして、操作棒２４を操作すると回転軸１４が反対方向に回転する。回転軸１４の回転に伴い、図４（ｂ）及び図５（ｂ）に示すように、回転体３６の係合部３６ｂと被係合部３８ａとの係合が解除し、バネ４２の弾性力に抗して回転体３６は第１受体３８からわずかに離反して同じ方向に回転する。そして、図４（ｃ）、図５（ｃ）及び図６（ｂ）に示すように、４５度回転すると、回転体３６の他方の係合部３６ｂが被係合部３８ａに係合する。つまり、回転体３６の２つの係合部３６ｂの間でなす角度は４５度になるように設定されている。回転体３６の係合部３６ｂが被係合部３８ａに係合すると、その係合が回転軸１４を介して操作棒２４にクリック感として伝達されるので、操作者は、４５度回転位置に達したことが分かり、操作を停止することができる。この位置で操作を停止すると、スラット２０は４５度回転した状態で停止することができる。こうして、予め決められた回転角度でスラット２０を停止させることができる。
【００３７】
さらに操作棒２４を操作すると、回転軸１４がさらに回転し、回転軸１４の回転に伴い、回転体３６の係合部３６ｂと被係合部３８ａとの係合が解除し、バネ４２の弾性力に抗して回転体３６は第１受体３８及び第２受体４０からわずかに離反して同じ方向に回転する。そして、スラット２０が略垂直状態になると、図４（ｄ）、図５（ｄ）及び図６（ｃ）に示すように、回転体３６の他方の当接面３６ｃが第２受体４０の被当接面４０ｃに当接するので、それ以上のスラット２０の回転は阻止される。同時に、回転体３６の一方の係合部３６ｂが第２受体４０の被係合部４０ａに係合するので、その係合が回転軸１４を介して操作棒２４にクリック感として伝達され、操作者は、略垂直状態に達したことが分かり、操作を停止することができる。
【００３８】
図４（ｄ）、図５（ｄ）及び図６（ｃ）から操作棒２４を手前側に操作すると、回転軸１４が反対方向に回転して、スラット２０が水平状態になると、回転体３６の一方の当接面３６ｃが第１受体３８の被当接面３８ｃに当接すると同時に、一方の係合部３６ｂが第１受体３８の被係合部３８ａに係合して、操作棒２４にクリック感を伝達することができる。
【００３９】
こうして、この実施形態では、スラット２０の水平状態、４５度回転位置、略垂直状態の各回転角度状態において、係合部３６ｂと被係合部３８ａ、４０ａとの係合によって操作棒２４にクリック感を与えることができ、操作者はこのクリック感に基づき操作を停止するので、それらの角度でスラット２０を確実に停止させることができる。また、係合部３６ｂと被係合部３８ａ、４０ａとの係合力は、あまり強いものとすると、係合を解除してその回転角度状態からスラット２０を回転させるのに抵抗となるが、ある程度の係合力を持たせることによって、スラット２０を決められた各回転角度状態に維持する拘束力とすることができる。バネ４２による付勢力を調整することで係合力を調整することも可能であり、バネ４２による付勢力によって係合を確実なものとして、明確なクリック感を操作棒２４に伝達することができ、拘束力とすることもできる。回転体３６の係合部３６ｂと第１受体３８、第２受体４０の被係合部３８ａ、４０ａとの係合／係合解除は、回転軸の軸方向の移動を利用して行うために、ヘッドボックス１２の長手方向を利用することができ、ブラインドの大型化を招くことがない。
【００４０】
また、この実施形態では、スラット２０の水平状態と略垂直状態の各回転角度状態において、当接面３６ｃと被当接面３８ｃ、４０ｃとの当接によって回転軸１４の回転が規制されるため、スラット２０の所定回転範囲以上の回転を阻止することができる。こうして、所望の回転範囲にスラット２０の回転を抑えることで、スラット２０やラダーコード１８に無理な負荷がかかることを防止することができる。
【００４１】
回転体３６に係合部３６ｂと当接面３６ｃの両方を形成しているため、停止させたい回転角度と回転を規制したい回転範囲との関係を保持することができ、停止させたい回転角度と回転を規制したい回転範囲との間でズレの発生を抑えることができる。
【００４２】
尚、この実施形態では、第１受体３８と第２受体４０とは別の部材となっていたが、一体部品で構成することも可能である。しかしながら、第１受体３８と第２受体４０とを別部品とする場合には、第２受体４０に対する第１受体３８の角度を調整することによって、スラット２０の停止させたい回転角度及び／又はスラット２０の規制したい回転範囲を変化させることができる。そのため、第２受体４０は第１受体３８を回動可能に支承することができるようになっている。
【００４３】
例えば、図８に示すように、ブラインド１０自体が傾斜して取り付けられている場合などで、スラット２０の回転範囲を水平状態（図８（ａ））から全閉状態（図８（ｃ））までの範囲とする場合、傾斜角度分だけ回転範囲は変化し、スラット２０の水平状態において、スラット２０はヘッドボックス１２に対して傾斜角度分だけ傾斜することになる。
【００４４】
このような場合には、図９に示すように第１受体３８を第２受体４０に対して回動して、第１受体３８の被当接面３８ｃと第２受体４０の被当接面４０ｃとのなす角度を変化させることで、回転体３６の回転範囲を変化させることができる。この場合でも、水平状態から４５度回転した回転角度状態で係合部３６ｂの１つが被係合部３８ａに係合するので、クリック感を発生させることができ、この角度状態でスラット２０を確実に停止させることができる。また、この係合力をスラット２０を決められた各回転角度状態に維持する拘束力とすることもできる。
【００４５】
以上の第１受体３８の第２受体４０に対する角度調整は、例えば、図１０に示すように、第１受体３８のケース３２に対する固定位置を変更することで行うことができる。図１０（ａ）は、ケース３２の図示を省略した状態であり、第１受体３８の端面に複数の取付孔３８ｄが穿設されている。図示の例では、細かな調整角度を可能とするために、２列の同心円上に複数の取付孔３８ｄが形成されており、２列の取付孔３８ｄに対応して、ケース３２の端面には、２列の取付孔３２ａが形成されている。２列の取付孔３２ａのいずれの列の取付孔３２ａと、多数の中のいずれかの取付孔３８ｄとを整合させて取付ネジ４４で取り付けることによって、第１受体３８をケース３２に固定することができる。
【００４６】
また、調整角度を分かり易くするために、第１受体３８の周縁に沿って角度を表示する角度表示部３８ｅが設けられており、ケース３２の端面には、インジケータ３２ｂが設けられている。操作者は、ケース３２から露出する第１受体３８の角度表示部３８ｅとインジケータ３２ｂとの関係を視認することによって、角度を調整することができる。
【００４７】
図１１は、第１受体３８の位置調整を簡単にすることができるようにした本発明の他の実施形態を表す要部の図であり、分かり易くするために、第１受体３８と第２受体４０を主として示している。第１受体３８の突出部３８ｂの外周面にウォームホイール部３８ｆが形成されており、ウォームホイール部３８ｄに噛合うウォーム４６がケース３２内で軸支されている。ウォーム４６の一部はヘッドボックス１２に穿設された開口１２ａを通して駆動可能となっており、外部から工具を用いてウォーム４６を回転させることによって、第２受体４０に対する第１受体３８の角度を調整することができるようになっている。
【００４８】
図１２は、第１受体３８の位置調整を簡単にすることができるようにした本発明のさらに他の実施形態を表す要部の図であり、分かり易くするために、第１受体３８と第２受体４０を主として示している。第１受体３８の突出部３８ｂの外周面にギヤ３８ｇが形成されており、ギヤ３８ｇに噛合う調整ダイヤル４８がケース３２内で軸支されている。調整ダイヤル４８の一部はヘッドボックス１２に穿設された開口１２ａを通して駆動可能となっており、外部から調整ダイヤル４８を回転させることによって、第２受体４０に対する第１受体３８の角度を調整することができるようになっている。
【００４９】
以上の実施形態では、スラット２０の許容の回転範囲が略９０度からそれ以下であり、回転範囲の途中でクリック感を発生させる箇所は１箇所であったが、許容の回転範囲は９０度以上にすることも勿論可能である。回転範囲が広い場合、回転範囲の途中でスラット２０を停止させたい回転角度は２つ以上とすることができる。
【００５０】
図１３〜１６は、回転範囲が略１８０度となった場合のスラット回転制御機構３０の例であり、回転体３６の突出部３６ａの中心角は略１８０度となっており、突出部３６ａの軸方向に向いた端面には、互いに円周方向に４５度角度離間して３つの係合部３６ｂが形成される。
【００５１】
また、ケース３２に固定される非回転体５０の軸方向に直交する端面に被係合部５０ａが形成されており、被係合部５０ａと１８０度離間した位置に回転体３６の方へと突出する突出部５０ｂが形成され、突出部５０ｂの円周方向に直交する両端面が被当接面５０ｃ、５０ｃとなっている。また、第２受体４０は設けられていない。
【００５２】
以上のように構成されるスラット回転制御機構３０が設けられたブラインドにおいては、スラット２０の回転範囲が、スラット２０の水平状態からスラット２０が奥側に回転して全閉状態である略垂直状態となるまでの約９０度と、スラット２０の水平状態からスラット２０が手前側に回転して全閉状態である略垂直状態となるまでの約９０度と、の合わせて約１８０度としており、その回転範囲の水平状態と途中の奥側と手前側の４５度の角度でスラット２０を停止させることができるようにする。そのため、図１６（ａ）に示すように、スラット２０が水平状態においては回転体３６の中央の係合部３６ｂが非回転体５０の被係合部５０ａに係合している。そして、操作棒２４を操作して回転軸１４を奥側または手前側のいずれかに回転させると、係合部３６ｂと被係合部５０ａとの係合が解除し、バネ４２の弾性力に抗して回転体３６は非回転体５０からわずかに離反して同じ方向に回転する。そして、図１６（ｂ−１）または図１６（ｂ−２）に示すように、４５度回転すると、回転体３６の別の係合部３６ｂが被係合部５０ａに係合する。その係合が回転軸１４を介して操作棒２４にクリック感として伝達されるので、操作者は、４５度回転位置に達したことが分かり、操作を停止することができる。この位置で操作を停止すると、スラット２０は４５度回転した状態で停止することができる。こうして、予め決められた角度でスラット２０を停止させることができる。
【００５３】
さらに操作棒２４を操作すると、回転軸１４がさらに回転し、回転軸１４の回転に伴い、回転体３６の係合部３６ｂと被係合部５０ａとの係合が解除し、バネ４２の弾性力に抗して回転体３６は非回転体５０からわずかに離反して同じ方向に回転する。そして、スラット２０が略垂直状態になると、図１６（ｃ−１）または図１６（ｃ−２）に示すように、回転体３６の一つの当接面３６ｃが非回転体５０の一つの被当接面５０ｃに当接するので、それ以上のスラット２０の回転は阻止される。図１６（ｃ−１）または図１６（ｃ−２）から操作棒２４を反対方向に操作すると、回転軸１４が反対方向に回転して、先と反対に移動するが、スラット２０が水平状態になると、中央の係合部３６ｂが非回転体５０の被係合部５０ａに係合して、操作棒２４にクリック感を伝達することができる。
こうして、この実施形態でも前実施形態と同様の作用・効果が得られる。
【００５４】
なお、以上の実施形態では被係合部５０ａを１箇所のみ形成したが、被係合部５０ａから円周方向の時計回り及び反時計回りにおけるそれぞれ９０度の位置に別の被係合部を形成することができる。その場合には、スラットが略垂直状態になった時にも、係合部３６ｂが別の被係合部に係合して、操作棒にクリック感を伝達することができる。
【図面の簡単な説明】
【００５５】
【図１】本発明の実施形態によるブラインドの全体正面図である。
【図２】図１のブラインドに設けられるスラット回転制御機構の斜視図である。
【図３】図２のスラット回転制御機構の主要部品の分解斜視図である。
【図４】（ａ）〜（ｄ）はスラット回転制御機構の作用を表す斜視図であり、（ａ）はスラットの水平状態、（ｂ）は水平状態から回転した状態、（ｃ）は４５度回転した状態、（ｄ）は略垂直状態に対応する。
【図５】（ａ）〜（ｄ）はスラット回転制御機構の作用を表す平面図であり、（ａ）はスラットの水平状態、（ｂ）は水平状態から回転した状態、（ｃ）は４５度回転した状態、（ｄ）は略垂直状態に対応する。
【図６】（ａ）〜（ｃ）はスラット回転制御機構の作用を表す図５（ａ）の６−６線に沿って見た断面図であり、（ａ）はスラットの水平状態、（ｂ）は４５度回転した状態、（ｃ）は略垂直状態に対応する。
【図７】（ａ）〜（ｃ）はブラインドの側面図であり、（ａ）はスラットの水平状態、（ｂ）は４５度回転した状態、（ｃ）は略垂直状態に対応する。
【図８】（ａ）〜（ｃ）は傾斜して取り付けられたブラインドの側面図であり、（ａ）はスラットの水平状態、（ｂ）は４５度回転した状態、（ｃ）は略垂直状態に対応する。
【図９】図８のスラット回転制御機構の作用を表す断面図であり、（ａ）はスラットの水平状態、（ｂ）は４５度回転した状態、（ｃ）は略垂直状態に対応する。
【図１０】第１受体と第２受体の位置調整を表す図であり、（ａ）はケースの図示を省略した側面図、（ｂ）及び（ｃ）はケースを含めた側面図である。
【図１１】第１受体の位置調整を行う本発明の他の実施形態を表す要部の図である。
【図１２】第１受体の位置調整を行う本発明の他の実施形態を表す要部の図である。
【図１３】スラットの回転範囲を約１８０度とした場合のスラット回転制御機構の主要部品の分解斜視図である。
【図１４】スラットの回転範囲を約１８０度とした場合のスラット回転制御機構の斜視図である。
【図１５】スラットの回転範囲を約１８０度とした場合のスラット回転制御機構の平面図である。
【図１６】スラットの回転範囲を約１８０度とした場合のスラット回転制御機構の作用を表す図１５の１６−１６線に沿って見た断面図であり、（ａ）はスラットの水平状態、（ｂ−１）、（ｂ−２）は４５度回転した状態、（ｃ−１）、（ｃ−２）は略垂直状態に対応する。
【符号の説明】
【００５６】
１０  ブラインド
１２  ヘッドボックス
１４  回転軸
１８  ラダーコード
２０  スラット
２４  操作棒（操作部）
３６  回転体
３６ｂ  係合部
３６ｃ  当接面
３８  第１受体（非回転体）
３８ａ  被係合部
３８ｃ  被当接面
４０  第２受体（非回転体）
４０ａ  被係合部
４０ｃ  被当接面
４２  バネ（弾性体）
５０  非回転体
５０ａ  被係合部
５０ｃ  被当接面
【図１】
2008297719.tif 000003
【図２】
2008297719.tif 000004
【図３】
2008297719.tif 000005
【図４】
2008297719.tif 000006
【図５】
2008297719.tif 000007
【図６】
2008297719.tif 000008
【図７】
2008297719.tif 000009
【図８】
2008297719.tif 000010
【図９】
2008297719.tif 000011
【図１０】
2008297719.tif 000012
【図１１】
2008297719.tif 000013
【図１２】
2008297719.tif 000014
【図１３】
2008297719.tif 000015
【図１４】
2008297719.tif 000016
【図１５】
2008297719.tif 000017
【図１６】
2008297719.tif 000018